(57)【要約】      （修正有）【課題】卓上や陳列棚などの狭い場所に目立つ状態で載置することができて複数の掲示物を掲示あるいは表示できる卓上型掲示具を提供する。【解決手段】基台２と、該基台に立設したポール３と、該ポールにそれぞれ独立して水平旋回可能に取り付けた１〜複数枚の掲示板４ａ，４ｂ，４ｃと、該掲示板のズリ落ちを防止すべくポールに取り付けた下支え具５と、を備えて構成する。【選択図】図１
0003161080.tif 000002
【実用新案登録請求の範囲】
【請求項１】
卓上や陳列棚などの狭い場所に目立つ状態で載置できて複数の掲示物を掲示あるいは表示させる卓上型掲示具であって、
基台と、
該基台に立設したポールと、
該ポールにそれぞれ独立して水平旋回可能に取り付けた１〜複数枚の掲示板と、
該掲示板のズリ落ちを防止すべく前記ポールに取り付けた下支え具と、を備えることを特徴とする卓上型掲示具。
【請求項２】
請求項１に記載の卓上型掲示具において、前記掲示板は厚紙又は薄いプラスチック製板を前記ポールを通す孔を折り曲げ部に形成して二つ折りし、互いの接触面を貼り合わせて構成してあり、該掲示板を複数枚取り付ける場合には各掲示板における前記ポールを通す孔を形成した部分は該孔に前記ポールを通して取り付けたときに各掲示板が旗蝶番のごとく水平旋回するようにポール通過部分が重ならないように各折り曲げ部の一部を切除して形成してあることを特徴とする卓上型掲示具。
【請求項３】
請求項１又は２に記載の卓上型掲示具における前記１〜複数枚の掲示板の片面又は両面に暦を印刷して構成したことを特徴とする卓上カレンダ。
【考案の詳細な説明】
【技術分野】
【０００１】
本考案は、卓上に設置してその表面にメモを記した付箋紙を貼り付けたり、飲食店のテーブル上に設置してメニューや料理説明などを印刷したＰＯＰカードを掲示したり、小売店の陳列棚に設置して商品の名称や価格、特徴などを掲示したり、更には、貼り付けの代わりにその掲示具の表面に掲示内容を印刷したりペン書きしたりすることにより卓上カレンダ、卓上メニュー表示具、卓上掲示版、等としても使用できる卓上型掲示具、及びそれを利用した卓上カレンダに関する。
【背景技術】
【０００２】
備忘録や伝言メモとして紙面裏側の端部に剥がし易い糊を塗布した付箋紙が多用されている。メモ等を記した付箋紙は、書籍や書類、コンピュータ・ディスプレイの枠、デスク面等に貼り付けて残される。しかし、書類やデスク面に貼って残したのでは他の書類の下になって分からなくなったり、剥がれて行方不明になったり、貼った場所を忘れたりすることが多い。ディスプレイの枠に貼っておく場合は剥がれる心配がある。また、これらの方法は多数の付箋紙を残すには適さない。
【０００３】
他方、飲食店などではテーブル上にメニューや料理説明などを印刷したＰＯＰカードなどの小掲示物を必要とすることが多いが、テーブル上に印刷物を横置きしたのでは場所をとる。自立型や立てかけ型にして場所をとらないようしたアイディアもあるが客の目に触れるのは印刷物の表面又は表裏面のみである（例えば、特許文献１、２参照）。
【０００４】
こうした問題に対処するため、卓上や陳列棚などの狭い場所に目立つ状態で載置することができ、小型にも関わらす複数の掲示物を掲示あるいは表示できる卓上型掲示具が求められている。
【先行技術文献】
【特許文献】
【０００５】
【特許文献１】特開２００２−１８９４１８号公報
【特許文献２】実公昭６１−２５０００号公報
【考案の開示】
【考案が解決しようとする課題】
【０００６】
本考案はこのような背景からなされたもので、その課題は卓上や陳列棚などの狭い場所に目立つ状態で載置することができて複数の掲示物を掲示あるいは表示できる卓上型掲示具、及びそれを利用した卓上カレンダを提供することにある。
【課題を解決するための手段】
【０００７】
前記課題を解決するための請求項１に記載の考案は、卓上や陳列棚などの狭い場所に目立つ状態で載置できて複数の掲示物を掲示あるいは表示させる卓上型掲示具であって、基台と、該基台に立設したポールと、該ポールにそれぞれ独立して水平旋回可能に取り付けた１〜複数枚の掲示板と、該掲示板のズリ落ちを防止すべくポールに取り付けた下支え具と、を備えることを特徴とする卓上型掲示具である。
【０００８】
このような構成の卓上型掲示具は卓上や陳列棚などの狭い場所に目立つ状態で場所をとらずに載置することができ、複数の掲示物を掲示あるいは表示することに使用できる。
【０００９】
また、請求項２に記載の考案は、請求項１に記載の卓上型掲示具において、掲示板は厚紙又は薄いプラスチック製板をポールを通す孔を折り曲げ部に形成して二つ折りし、互いの接触面を貼り合わせて構成してあり、該掲示板を複数枚取り付ける場合には各掲示板におけるポールを通す孔を形成した部分は該孔にポールを通して取り付けたときに各掲示板が旗蝶番のごとく水平旋回するようにポール通過部分が重ならないように各折り曲げ部の一部を切除して形成してあることを特徴とする卓上型掲示具である。
【００１０】
このような構成によれば安価な材料を使用でき、製作も容易である。
【００１１】
また、請求項３に記載の考案は、請求項１又は２に記載の卓上型掲示具における１〜複数枚の掲示板の片面又は両面に暦を印刷して構成したことを特徴とする卓上カレンダである。
【００１２】
このような構成の卓上カレンダは、暦印刷面が水平旋回して趣がある。また、暦印刷面に余白部を設けて付箋紙を貼りつけておく個所とすることもできる。
【図面の簡単な説明】
【００１３】
【図１】卓上型掲示具１の外観斜視図である。
【図２】掲示板４ａの正面図（１）と平面図（２）である。
【図３】掲示板４ｂの正面図（１）と平面図（２）である。
【図４】掲示板４ｃの正面図（１）と平面図（２）である。
【図５】掲示板４ａを構成する厚紙の展開図である。
【図６】掲示板４ａの他の実施形態の正面図（１）と平面図（２）である。
【図７】掲示板４ａの他の実施形態の展開図である。
【図８】卓上型付箋紙掲示具としての使用例である。
【図９】卓上カレンダとしての応用例である。
【図１０】卓上カレンダと付箋紙掲示具に併用した応用例である。
【考案を実施するための形態】
【００１４】
以下、本考案に係る卓上型掲示具の一実施形態を図面を参照して説明する。図１は、その卓上型掲示具１の外観斜視図である。卓上型掲示具１は基台２、ポール３、掲示板４ａ、４ｂ、４ｃ、下支え具５を備えて構成されている。
【００１５】
基台２はポール３を鉛直状態に維持するための円板状の台である。ポール３は細長の丸棒であり、下端部分を基台２の中央に設けられた孔にねじ込むことにより鉛直に支持されている。
【００１６】
掲示板４ａ、４ｂ、４ｃは厚紙で形成され、ポール３にそれぞれが独立して水平旋回可能に取り付けられている。図２の（１）は掲示板４ａの正面図、図２の（２）は掲示板４ａの平面図、図３の（１）は掲示板４ｂの正面図、図３の（２）は掲示板４ｂの平面図、図４の（１）は掲示板４ｃの正面図、図４の（２）は掲示板４ｃの平面図である。
【００１７】
各掲示板４ａ、４ｂ、４ｃは、矩形の厚紙を二つ折りして互いの接触面を接着剤で貼り合わせた構成になっている。図５は、その一つの掲示板４ａを構成する厚紙の展開図である。二つ折りは、折り曲げ部に図２の（２）に示すようにポール３を通す孔８を形成した状態で折り曲げて重ね合わせてある。孔８の内径はポール３の外形にほぼ等しくしてある。そのため、孔８にポール３を通した状態では孔８の内面とポール３の外面との間に摩擦が生ずる。その摩擦のため掲示板４ａは下にズリ落ちることはないが、ズリ落ちを確実に防止するためポール３の下方部分に下支え具５が取り付けてある。下支え具５はリング状の部品で、ポール３に接着剤で固定してある。
【００１８】
複数の掲示板４ａ、４ｂ、４ｃは、孔８にポール３を通して旗蝶番のごとく水平旋回できるように取り付けてある。各掲示板４ａ、４ｂ、４ｃにおけるポール３を通過させる部分はポール３に取り付けときに重ならないように、図２、図３、図４に示したように各折り曲げ部の一部を切除することにより位置をずらして形成してある。前述のように孔８の内面とポール３の外面との間に摩擦が生ずるように形成してあるので、各掲示板４ａ、４ｂ、４ｃは手で旋回させて静止させた位置に停止し、放置しても簡単には位置ズレを生じない。ポール３の上端には見栄えをよくするためのキャップ６が取り付けてある。
【００１９】
上述した実施形態の図１では、掲示板の数は３枚としてあるが１〜複数枚としてもよい。掲示板の薄いプラスチック製板で製作してもよい。また、各掲示板は、図５の展開図に示したような左右対称の厚紙を折り曲げて二枚重ねに接着する構成に代えて、図６の（１）の正面図、図６の（２）の平面図、図７の展開図に示すように、ポール３を通す孔８部分の形成に必要な個所のみが二枚重ねになるようにして、その他の部分は厚紙一枚で構成されるようにしてもよい。
【００２０】
この卓上型掲示具１は小型に製作することで、卓上や陳列棚などの狭い場所に場所をとらずに載置することができる。掲示板は複数枚取り付けることが可能であり、各掲示板の表裏に複数の掲示物を掲示あるいは表示させることができるため、小型にも関わらず多数の掲示、表示が可能である。図８はその利用例の一つで、備忘録や伝言メモを記した付箋紙１０を貼り付けておく卓上型付箋紙掲示具とした例である。この卓上型掲示具１は、卓上では目立つ存在であるため付箋紙を貼った場所を忘れてしまうことはない。掲示板は複数枚取り付けられているため多数の付箋紙を分類して貼り付けておくこともできる。飲食店などではテーブル上に載置してメニューや料理説明などを印刷したＰＯＰカードなどを掲示しておく卓上型掲示具として使用できる。
【００２１】
図９は他の利用例で、複数の掲示板の表裏に暦を印刷して卓上カレンダ１ａとした応用例である。図１０は卓上カレンダ１ａにおける暦印刷部の下部にスペースを設けておき、その部分を付箋紙１０の貼り付け部とした応用例である。
【符号の説明】
【００２２】
図面中、１は卓上型掲示具、１ａは卓上カレンダ、２は基台、３はポールと、４ａ、４ｂ、４ｃは掲示板、５は下支え具、８はポールを通す孔、１０は付箋紙である。
【図１】
0003161080.tif 000003
【図２】
0003161080.tif 000004
【図３】
0003161080.tif 000005
【図４】
0003161080.tif 000006
【図５】
0003161080.tif 000007
【図６】
0003161080.tif 000008
【図７】
0003161080.tif 000009
【図８】
0003161080.tif 000010
【図９】
0003161080.tif 000011
【図１０】
0003161080.tif 000012
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
卓上や陳列棚などの狭い場所に目立つ状態で載置できて複数の掲示物を掲示あるいは表示させる卓上型掲示具であって、
基台と、
該基台に立設したポールと、
該ポールにそれぞれ独立して水平旋回可能に取り付けた１〜複数枚の掲示板と、
該掲示板のズリ落ちを防止すべく前記ポールに取り付けた下支え具と、を備えることを特徴とする卓上型掲示具。
【請求項２】
請求項１に記載の卓上型掲示具において、前記掲示板は厚紙又は薄いプラスチック製板を二つ折りの折り目部分に前記ポールを通す孔を形成して二つ折りに折り畳み、折り畳んだ互いの接触面を貼り合わせて構成してあり、該掲示板を複数枚取り付ける場合には各掲示板における前記ポールを通す孔を形成した部分は該孔に前記ポールを通して取り付けたときに各掲示板が旗蝶番のごとく水平旋回できるようにポール通過部分が重ならないよう一部を切除して形成してあることを特徴とする卓上型掲示具。
【請求項３】
請求項１又は２に記載の卓上型掲示具において、前記１〜複数枚の掲示板の片面又は両面に暦を印刷して卓上カレンダとした卓上型掲示具。
【手続補正２】
【補正対象書類名】明細書
【補正対象項目名】０００９
【補正方法】変更
【補正の内容】
【０００９】
また、請求項２に記載の考案は、請求項１に記載の卓上型掲示具において、掲示板は厚紙又は薄いプラスチック製板を二つ折りの折り目部分にポールを通す孔を形成して二つ折りに折り畳み、折り畳んだ互いの接触面を貼り合わせて構成してあり、該掲示板を複数枚取り付ける場合には各掲示板におけるポールを通す孔を形成した部分は該孔にポールを通して取り付けたときに各掲示板が旗蝶番のごとく水平旋回できるようにポール通過部分が重ならないよう一部を切除して形成してあることを特徴とする卓上型掲示具である。
【手続補正３】
【補正対象書類名】明細書
【補正対象項目名】００１１
【補正方法】変更
【補正の内容】
【００１１】
また、請求項３に記載の考案は、請求項１又は２に記載の卓上型掲示具において、１〜複数枚の掲示板の片面又は両面に暦を印刷して卓上カレンダとした卓上型掲示具である。